(57)【要約】      （修正有）【課題】差し替え可能に表示板が設けられる単管バリケード用脚部材を提供する。【解決手段】前後方向に貫通する開口部１１，１３，１５が、上下に離隔して３つ形成されており、開口部１１，１５には、単管を固定するためのクランプ２７が設けられている。開口部１３の外周部３３の下部および左右両端部には、穴が形成されている。穴に、支持具５１が取り付けられ、脚部材１と支持具５１との間には溝８５が形成されている。表示板１０１は、溝８５にはめ込まれて脚部材１に着脱可能に設けられる。【選択図】図７
0003196896.tif 000002
【実用新案登録請求の範囲】
【請求項１】
間隔を空けて配置され、その間に単管を架け渡して単管バリケードを構成する単管バリケード用脚部材であって、
前記単管の軸方向と直交する面に、板状の表示板が着脱可能に取り付けられる支持具を備える
ことを特徴とする単管バリケード用脚部材。
【請求項２】
前記単管の軸方向と平行に開口する穴が上下に形成されており、
この上下の各穴内の下部には、単管を固定するクランプが設けられており、
前記上下の穴間の領域には、前記表示板が上方からスライドして取り付けられる前記支持具が設けられている
ことを特徴とする請求項１に記載の単管バリケード用脚部材。
【考案の詳細な説明】
【技術分野】
【０００１】
本考案は、工事現場などで使用される単管バリケードに関するものであり、特に、単管バリケードに用いられる脚部材に関するものである。
【背景技術】
【０００２】
工事現場などにおいては、部外者が立ち入らないように、単管バリケードが用いられることがある。単管バリケードは、間隔をあけて設けられた脚部材間に、パイプ（単管）を架け渡して構成される。
【０００３】
ところで、脚部材には、通行人などを誘導したり、注意喚起したりするために、案内または注意の表示されたシールが貼り付けられることがある。
たとえば、矢印が表示された誘導用のシールが脚部材に貼り付けられたり、「危険注意」と表示された注意喚起用のシールが脚部材に貼り付けられたりすることがある。
【考案の概要】
【考案が解決しようとする課題】
【０００４】
しかしながら、脚部材に貼り付けられたシールを交換する場合、以前のシールをはがす際、シールの糊が残ってしまい、きれいに剥がせないおそれがあり、交換が面倒であった。
【０００５】
本考案が解決しようとする課題は、案内や注意などが表示された表示板が差し替え可能に設けられる単管バリケード用脚部材を提供することにある。
【課題を解決するための手段】
【０００６】
本考案は、前記課題を解決するためになされたもので、請求項１に記載の考案は、間隔を空けて配置され、その間に単管を架け渡して単管バリケードを構成する単管バリケード用脚部材であって、前記単管の軸方向と直交する面に、板状の表示板が着脱可能に取り付けられる支持具を備えることを特徴とする単管バリケード用脚部材である。
【０００７】
さらに、請求項２に記載の考案は、前記単管の軸方向と平行に開口する穴が上下に形成されており、この上下の各穴内の下部には、単管を固定するクランプが設けられており、前記上下の穴間の領域には、前記表示板が上方からスライドして取り付けられる前記支持具が設けられていることを特徴とする請求項１に記載の単管バリケード用脚部材である。
【考案の効果】
【０００８】
本考案の脚部材によれば、表示板を差し替え可能に取り付けることができる。
【図面の簡単な説明】
【０００９】
【図１】本考案の単管バリケード用脚部材の一実施例を示す正面図である。
【図２】図１のＡ−Ａ概略断面図である。
【図３】図１の単管バリケード用脚部材の一部を示す概略縦断面図である。
【図４】図１の単管バリケード用脚部材の一部を示す概略横断面図であり、支持具を取り付けようとしている状態を示す図である。
【図５】図４の支持具を示す分解斜視図である。
【図６】図４の状態から支持具が取り付けられた状態を示す図である。
【図７】図１の単管バリケード用脚部材に表示板が取り付けられようとしている状態を示す図である。
【図８】図１の単管バリケード用脚部材に表示板が取り付けられた状態の一部を示す概略縦断面図である。
【図９】表示板が取り付けられた図１の単管バリケード用脚部材を用いて構成された単管バリケードを示す図である。
【図１０】図１の単管バリケード用脚部材を用いて構成された単管バリケードを示す図である。
【考案を実施するための形態】
【００１０】
以下、本考案の単管バリケード用脚部材の一実施例について図面に基づいて具体的に説明する。
【００１１】
図１は、本考案の単管バリケード用脚部材の一実施例を示す正面図である。
図２は、図１のＡ−Ａ概略断面図である。図３は、図１の単管バリケード用脚部材の一部を示す概略縦断面図である。
【００１２】
本実施例の単管バリケード用脚部材１は、合成樹脂製とされ、中空状に形成されている。本実施例では、脚部材１は、ポリエチレン製とされ、ブロー成形（中空成形）により形成されている。
【００１３】
本実施例では、脚部材１は、略矩形板状に形成されていると共に、その下端部には、幅方向両端部（図１において左右両端部）に、下方へ突出して矩形状の脚部５，５が形成されている。また、脚部材１の上端部７は、円弧状に上方へ膨出して形成されている。
【００１４】
脚部材１には、前後方向（板厚方向）に貫通する開口部１１，１３，１５が、上下に離隔して３つ形成されている。
【００１５】
上段および下段の各開口部１１，１５の下部の左右方向中央部には、ネジ棒状の軸部２１が開口部１１，１５の下部から上方へ突出して設けられている。
本実施例では、脚部材１にボルト２３がインサート成形されており、ボルト２３の軸部２１が開口部１１，１５の下部から上方へ突出するように設けられている。
【００１６】
各軸部２１には、単管を固定するためのクランプ２７が取り付けられている。
つまり、本実施例では、上下に離隔して２つのクランプ２７，２７が、脚部材１に設けられている。
【００１７】
中段の開口部１３の外周部（周囲）３３は、前後方向（板厚方向）内側に凹んで形成されている。そのため、前記外周部３３の前後方向の寸法（厚み）は、それより外側よりも小さく形成されている。
【００１８】
図４は、図１の単管バリケード用脚部材の一部を示す概略横断面図であり、支持具を取り付けようとしている状態を示す図である。図５は、支持具を示す分解斜視図である。
図６は、図４の状態から支持具が取り付けられた状態を示す図である。
【００１９】
中段の開口部１３の外周部３３の下部には、左右に離隔して、前後方向に貫通する穴３７が２つ形成されている。
各穴３７の左右両端部および下端部は、その前後方向中央部３９が、穴３７の内側へ矩形状に突出して形成されている。つまり、各穴３７は、前後方向中央部３９において、左右両側壁が左右方向内側へ突出し、下壁が上方へ突出している。
【００２０】
また、中段の開口部１３の外周部３３の左右両端部には、上下方向中途部に、前後方向に貫通する穴４３がそれぞれ形成されている。
各穴４３の左右方向外側端部および上下端部は、その前後方向中央部４５が、穴４３の内側へ矩形状に突出して形成されている。つまり、各穴４３は、前後方向中央部４５において、左右方向外側壁が左右方向内側へ突出し、上壁が下方へ突出し、下壁が上方へ突出している。
【００２１】
中段の開口部１３の外周部３３の各貫通穴３７，４３を利用して、支持具５１が取り付けられる。支持具５１は、前後一対の支持具構成材５５，５５により構成される。
【００２２】
以下においては、後方（図５において右側）に配置される支持具構成材５５について説明する。
【００２３】
支持具構成材５５は、略矩形板状の係止片５７を有し、係止片５７の下端部には前方へ矩形状に突出して突出部５９が形成されている。この突出部５９には、前方へ突出する２つの円柱状部６３，６５が、左右に離隔して形成されている。なお、図示例では、円柱状部６３，６５間は、板状部６７により連結されている。
【００２４】
図５において左側の円柱状部６３の中央部には、前方へ開口する穴６９が軸方向に沿って形成されている。また、円柱状部６３の周側壁には、矩形状の貫通穴７１が穴６９に連通するように形成されている。
【００２５】
図５において右側の円柱状部６５には、さらに前方へ突出して円筒状の差込部７５が形成されている。なお、円柱状部６５には、差込部７５の内穴と連通するように前方へ開口する穴が形成されている。この差込部７５には、径方向に離隔して２箇所に、軸方向に沿って矩形状の切欠き７７が形成されている。また、差込部７５には、断面略三角形状の係止部７９が形成されている。
【００２６】
一対の支持具構成材５５，５５は、図４や図５に示すように、脚部材１を挟んで、円柱状部６３，６５同士が対向するように前後に配置される。そして、各脚部材１の円柱状部６３，６５が、脚部材１の各穴３７，４３にはめ込まれる。この際、一方の支持具構成材５５の差込部７５が、他方の支持具構成材５５の円柱状部６３の穴６９にはめ込まれ、係止部７９が貫通穴７１に突入することで、支持具構成材５５，５５同士が係合し、抜けが防止される。
【００２７】
一対の支持具構成材５５，５５が取り付けられた状態では、各支持具構成材５５の突出部５９の先端面５９ａが、各穴３７，４３の前後方向中央部３９，４５の端面に当接している。これにより、支持具構成材５５のがたつきが防止される。
【００２８】
また、一対の支持具構成材５５，５５が脚部材１に取り付けられた状態では、各支持具構成材５５の係止片５７と脚部材１の表面（板面）との間には、支持具構成材５５の突出部５９の厚み分の溝（隙間）８５が形成されている。
【００２９】
具体的には、脚部材１の開口部１３の下端部に設けられた支持具構成材５５と、開口部１３の外周部３３との間には、左右方向および上方へ開口する溝８５Ａが形成されている。また、脚部材１の開口部１３の左右両端部に設けられた支持具構成材５５と、開口部１３の外周部３３との間には、上下方向および左右方向内側へ開口する溝８５Ｂが形成されている。
【００３０】
図７は、図１の単管バリケード用脚部材に表示板が取り付けられようとしている状態を示す図である。図８は、図１の単管バリケード用脚部材に表示板が取り付けられた状態の一部を示す概略縦断面図である。
【００３１】
このように脚部材１に、支持具５１が取り付けられた状態で、表示板１０１が脚部材１に取り付けられる。表示板１０１は、矩形板状とされ、図示例では、その表面に矢印記号が記載されている。
【００３２】
表示板１０１は、上方から下方へスライドして溝８５にはめ込まれ、脚部材１と支持具５１との間に挟み込まれて着脱可能に脚部材１に取り付けられる。本実施例では、脚部材１の前後位置、つまり、脚部材１の正面側および背面側の両側に、それぞれ表示板１０１を着脱可能に取り付けることができる。
【００３３】
図９は、表示板が取り付けられた図１の単管バリケード用脚部材を用いて構成された単管バリケードを示す図である。
【００３４】
このような構成の本実施例の脚部材１，１は、前後に離隔して配置され、脚部材１，１を架け渡すようにパイプ（単管）１１１が設けられる。そして、パイプ１１１がクランプ２７により脚部材１に固定されて、単管バリケード１１５が構成される。
【００３５】
パイプ１１１が脚部材１に取り付けられた状態では、脚部材１の板面は、パイプ１１１の軸方向に対して垂直に設けられる。つまり、表示板１０１は、パイプ１１１の軸方向と直交して配置されている。
【００３６】
本実施例では、脚部材１に表示板１０１が設けられることで、通行人などを誘導したり、注意喚起したりすることができる。また、表示板１０１は、脚部材１にスライドさせるだけで取り付けることができ、着脱が容易であり、各種記号や文字が記載された表示板１０１を複数種類用意しておくことで、適宜現場に応じたものに容易に交換することができる。さらに、表示板１０１には、各種動物やキャラクターが表示されていてもよく、表示板の内容は適宜変更可能である。
【００３７】
また、本実施例では、上側のクランプ２７の上方に脚部材１の上端部７が配置されている。これにより、上側のクランプ２７に、通行人の手などが当たるおそれがなく、安全である。
【００３８】
本考案の単管バリケード用脚部材は、上記実施例の構成に限らず、適宜変更可能である。たとえば、上記実施例では、脚部材１は、略矩形板状とされたが、その形状（外観）は特に問わない。脚部材１は、動植物および魚貝類の形状を模したものや、キャラクターの形状を模したものであってもよい。
【００３９】
また、上記実施例では、脚部材１は、ポリエチレンによりブロー成形されたが、材質は特に問わず、たとえばポリプロピレンによりブロー成形してもよい。また、上記実施例では、脚部材１は、ブロー成形により形成されたが、その成形方法も適宜変更可能であり、
たとえば、合成樹脂のインジェクション成形により形成されてもよい。また、支持具５１の形状や構造は、適宜変更可能である。
【００４０】
さらに、図１０に示すように、表示板１０１を取り付けることなく、脚部材１により単管バリケードを構成してもよいことはいうまでもない。脚部材１には、開口部１３が設けられていることで、表示板１０１が取り付けられていない場合、風圧を逃がすことができる。
【符号の説明】
【００４１】
１  単管バリケード用脚部材
２７  クランプ
５１  支持具
５５  支持具構成材
１１１  単管（パイプ）
【図１】
0003196896.tif 000003
【図２】
0003196896.tif 000004
【図３】
0003196896.tif 000005
【図４】
0003196896.tif 000006
【図５】
0003196896.tif 000007
【図６】
0003196896.tif 000008
【図７】
0003196896.tif 000009
【図８】
0003196896.tif 000010
【図９】
0003196896.tif 000011
【図１０】
0003196896.tif 000012